(57)【要約】【課題】グリップ時に手の平部に皺がよらず、フィット感が良好で、違和感もないグローブを提供する。【解決手段】グローブ１は、手の甲部７の手首側に面ファスナー９を設けるとともに、手の平部の手首側に一端を縫合した固定バンド１０の内面に、前記手首側の面ファスナー９に係止する面ファスナー１１を設けてなる。親指部２と人指し指部３の各基部間または小指部の基部における手の甲部７と手の平部の境界部分に一端を縫合した引き締めバンド１２は、他端側の自由端を手の甲部７外側を斜めに手首側に伸びるようなし、その前記自由端近傍に面ファスナーを設ける一方、前記バンド１０外面には、前記引き締めバンド１２の面ファスナーに係止する面ファスナーを設ける。【選択図】図１
0003114630.tif 000002
【実用新案登録請求の範囲】
【請求項１】
五指に対応する各指部と、手の甲を覆う手の甲部と、手の平を覆う手の平部とを有するグローブであって、親指部と人指し指部の各基部間または小指部の基部における手の甲部と手の平部の境界部分に一端を連繋し、他端側の自由端を手の甲部外側を斜めに手首側に伸びる引き締めバンドを設け、前記自由端を前記手首側の所定部分に離脱可能に連結するようなしたことを特徴とするグローブ。
【請求項２】
五指に対応する各指部と、手の甲を覆う手の甲部と、手の平を覆う手の平部とを有し、前記手の甲部の手首側に面ファスナーを設けるとともに、手の平部の手首側に一端を縫合した固定バンドの内面に、前記手首側の面ファスナーに係止する面ファスナーを設けてなる皮革製あるいは合成皮革製のグローブであって、親指部と人指し指部の各基部間または小指部の基部における手の甲部と手の平部の境界部分に一端を縫合し、他端側の自由端を手の甲部外側を斜めに手首側に伸びるようなした引き締めバンドを設け、前記自由端近傍に面ファスナーを設けるとともに、前記固定バンド外面に、前記引き締めバンドの面ファスナーに係止する面ファスナーを設けたことを特徴とするグローブ。
【請求項３】
五指に対応する各指部と、手の甲を覆う手の甲部と、手の平を覆う手の平部とを有し、前記手の甲部の手首側に面ファスナーを設けるとともに、手の平部の手首側に一端を縫合した固定バンドの内面に、前記手首側の面ファスナーに係止する面ファスナーを設けてなる皮革製あるいは合成皮革製のグローブであって、親指部と人指し指部の各基部間または小指部の基部における手の甲部と手の平部の境界部分に一端を縫合し、他端側の自由端を手の甲部外側を斜めに手首側に伸びるようなした引き締めバンドを設け、前記自由端近傍に面ファスナーを設けるとともに、前記固定バンド外面に、前記引き締めバンドの面ファスナーに係止する面ファスナーを設け、前記引き締めバンドには、長手方向に伸縮可能な伸縮材を設けたことを特徴とするグローブ。
【考案の詳細な説明】
【技術分野】
【０００１】
本考案は、野球バットのスイング時、ゴルフクラブのスイング時あるいはバイク運転時の各グリップを安定させるためのグローブに関するものである。
【背景技術】
【０００２】
従来、グローブは、手の甲部の手首側に面ファスナーを設けるとともに、手の平部の手首側に一端を縫合し、前記手首側の面ファスナーに係止する面ファスナーを備え、固定バンドを設け、装着時に手との固定を強化するために、固定バンドを手首に巻き、前記両面ファスナーを係止して固定するようになしたものが一般的である（特許文献１参照）。
【０００３】
【特許文献１】特開２００４−０９７５１０号公報
【考案の開示】
【考案が解決しようとする課題】
【０００４】
上記従来例は、グローブを手首部分で締め付けて固定することができるが、手の平側に皺ができることによって、手の平部分におけるフィット感に欠け、特にグリップ時に違和感があるという問題があった。本考案は、前記問題を解消することを目的とし、該目的を解決したグローブを提供することを目的とする。
【課題を解決するための手段】
【０００５】
上記目的を達成するために、請求項１に記載の本考案は、五指に対応する各指部と、手の甲を覆う手の甲部と、手の平を覆う手の平部とを有するグローブであって、親指部と人指し指部の各基部間または小指部の基部における手の甲部と手の平部の境界部分に一端を連繋し、他端側の自由端を手の甲部外側を斜めに手首側に伸びる引き締めバンドを設け、前記自由端を前記手首側の所定部分に離脱可能に連結するようなしたものである。
【０００６】
また、請求項２に記載の本考案は、五指に対応する各指部と、手の甲を覆う手の甲部と、手の平を覆う手の平部とを有し、前記手の甲部の手首側に面ファスナーを設けるとともに、手の平部の手首側に一端を縫合した固定バンドの内面に、前記手首側の面ファスナーに係止する面ファスナーを設けてなる皮革製あるいは合成皮革製のグローブであって、親指部と人指し指部の各基部間または小指部の基部における手の甲部と手の平部の境界部分に一端を縫合し、他端側の自由端を手の甲部外側を斜めに手首側に伸びるようなした引き締めバンドを設け、前記自由端近傍に面ファスナーを設けるとともに、前記固定バンド外面に、前記引き締めバンドの面ファスナーに係止する面ファスナーを設けたものである。
【０００７】
さらに、請求項３に記載の本考案は、五指に対応する各指部と、手の甲を覆う手の甲部と、手の平を覆う手の平部とを有し、前記手の甲部の手首側に面ファスナーを設けるとともに、手の平部の手首側に一端を縫合した固定バンドの内面に、前記手首側の面ファスナーに係止する面ファスナーを設けてなる皮革製あるいは合成皮革製のグローブであって、親指部と人指し指部の各基部間または小指部の基部における手の甲部と手の平部の境界部分に一端を縫合し、他端側の自由端を手の甲部外側を斜めに手首側に伸びるようなした引き締めバンドを設け、前記自由端近傍に面ファスナーを設けるとともに、前記固定バンド外面に、前記引き締めバンドの面ファスナーに係止する面ファスナーを設け、前記引き締めバンドには、長手方向に伸縮可能な伸縮材を設けたものである。
【考案の効果】
【０００８】
請求項１に記載の本発明は、引き締めバンドを手の甲部側に引っ張りながら手首側に回し、手首側の所定部分に連結することによって、手の平部が手の甲部側に引っ張られ、弛みが解消されるので、手の平部に皺が生じず、野球バット、ゴルフクラブやバイクのハンドルなどをグリップしたときに、フィット感が良好であり、違和感もないという効果を奏する。
【０００９】
請求項２に記載の本考案は、固定バンドを手首部分に巻き、面ファスナー同士を係止することによって、、グローブを手に確実に固定できるうえ、引き締めバンドを手の甲部側に引っ張りながら手首側に回し、その面ファスナーを前記固定バンド外面の面ファスナーに係止することによって、手の平部が手の甲部側に引っ張られ弛みをとるので、手の平部に皺が生じず、野球バット、ゴルフクラブやバイクのハンドルなどをグリップしたときに、フィット感が良好であり、違和感もないという効果を奏する。
【００１０】
請求項３に記載の本考案は、固定バンドを手首部分に巻き、面ファスナー同士を係止することによって、、グローブを手に確実に固定できるうえ、引き締めバンドを手の甲部側に引っ張りながら手首側に回し、その面ファスナーを前記固定バンド外面の面ファスナーに係止することによって、手の平部が手の甲部側に引っ張られ弛みをとるので、手の平部に皺が生じず、野球バット、ゴルフクラブやバイクのハンドルなどをグリップしたときに、フィット感が良好であり、違和感もなく、さらに、引き締めバンドには、伸縮部を設けたので、常に手の平部を手の甲部側に適度の強さで引っ張り、より一層緩まず、手の平部に皺がよりにくいという効果を奏する。
【考案を実施するための最良の形態】
【００１１】
次に、本考案を野球の打撃時に使用するグローブに適用した好適な実施形態を添付図面の図１〜図５に基づいて詳細に説明する。ここにおいて、図１は手の甲部側を示す正面図、図２は手の平部側を示す背面図、図３は装着時における手の甲部側を示す正面図、図４は装着時における手の平部側を示す背面図、図５は装着時における面ファスナーの係止状態を示す部分拡大断面図、図６は引き締めバンドの正面図である。
【００１２】
図１及び図２に示すように、グローブ１は、皮革製あるいは合成皮革製であって、五指に対応する親指部２、人指し指部３、中指部４、薬指部５及び小指部６と、手の甲を覆う手の甲部７と、手の平を覆う手の平部８とを縫合して構成し、前記手の甲部７の手首側に多数のフック体からなる面ファスナー９を設けるとともに、手の平部８の手首側に一端を縫合した固定バンド１０の内面に、前記面ファスナー９に係止する多数のリング体からなる面ファスナー１１を設ける。
【００１３】
図１〜図４に示すように、親指部２と人指し指部３の各基部間における手の甲部７と手の平部８の境界部分には、その一端を縫合し、他端側の自由端を手の甲部７外側を斜めに手首側に伸びるようなした引き締めバンド１２を設け、この引き締めバンド１２の前記自由端近傍には、多数のリング体からなる面ファスナー１３を設ける。また、図６で理解できるように、前記引き締めバンド１２は、その途中部位に伸縮可能な伸縮部たるゴムバンド１４を設ける。
【００１４】
図３及び図５に示すように、前記固定バンド１０外面には、前記引き締めバンド１２の面ファスナー１３に係止する多数のフック体からなる面ファスナー１５を設ける。
【００１５】
図１及び図３に示すように、手の甲部７には、引き締めバンド１２を挿通するためのガイドカバー１６を設ける。このガイドカバー１６は、内側に形成される間隙が親指２と人指し指部３の基部間位置から手首側における手の平部８との境界部位に向かって伸びるように、その両側縁を手の甲部７に縫合して形成する。
【００１６】
なお、本考案は、上記実施形態になんら限定されるものではなく、例えば、引き締めバンドの自由端を手首側の所定部分に離脱可能に連結する手段は、面ファスナーではなく他の構造に変更しても良い。また、面ファスナーも、フック体とリング体とを係止する構成に限られない。さらに、本考案は、野球用ではなく、ゴルフ用やバイク用などに適用してもよい。またさらに、ガイドカバー１６は設けなくてもよい。さらにまた、引き締めバンド１２の一端を小指部の基端部における手の甲部と手の平部の境界部分に連繋してもよい。
【図面の簡単な説明】
【００１７】
【図１】手の甲部側を示す正面図。
【図２】手の平部側を示す背面図。
【図３】装着時における手の甲部側を示す正面図。
【図４】装着時における手の平部側を示す背面図。
【図５】装着時における面ファスナーの係止状態を示す部分拡大断面図。
【図６】引き締めバンドの正面図。
【符号の説明】
【００１８】
１    グローブ
２    親指部
３    人指し指部
４    中指部
５    薬指部
６    小指部
７    手の甲部
８    手の平部
９    面ファスナー
１０    固定バンド
１１    面ファスナー
１２    引き締めバンド
１３    面ファスナー
１４    ゴムバンド
１５    面ファスナー
【図１】
0003114630.tif 000003
【図２】
0003114630.tif 000004
【図３】
0003114630.tif 000005
【図４】
0003114630.tif 000006
【図５】
0003114630.tif 000007
【図６】
0003114630.tif 000008